【事件の表示】
　特願２０１０−５０４６６３「共有アンテナを備える多帯域マルチスタンダード通信エンドデバイス用のフロントエンドモジュール」拒絶査定不服審判事件〔平成２０年１０月３０日国際公開、ＷＯ２００８／１２９０４４、平成２２年　８月１９日国内公表、特表２０１０−５２８４９８〕について、次のとおり審決する。
【結　論】
　本件審判の請求は、成り立たない。
【理　由】
　
１．手続の経緯
　
　本願は、２００８年４月２２日（パリ条約による優先権主張外国庁受理２００７年４月２３日、ドイツ）を国際出願日とする出願であって、平成２４年８月１３日付けで拒絶理由が通知され、平成２４年１１月２１日付けで手続補正がなされ、平成２４年１２月１０日付けで拒絶査定がされ、平成２５年４月１８日に拒絶査定不服審判が請求され、同日付けで手続補正がなされたものである。
　
２．本願発明
　
　平成２５年４月１８日付手続補正書では、特許請求の範囲の補正は無いから、本願の請求項１に係る発明（以下「本願発明」という。）は、平成２４年１１月２１日付手続補正書の特許請求の範囲の請求項１に記載された事項により特定される、以下のとおりのものと認める。
　
「フロントエンドモジュールであって、
　アンテナ経路（ＡＮＴ）を備え、
　アンテナ経路、ならびに第１、第２および第３の信号経路（ＳＰ１、ＳＰ２、ＳＰ３）に接続されたトリプレクサ（ＦＷ）を備え、
　第１の信号経路（ＳＰ１）が、異なる送信システムに割り当てられた少なくとも２つの第１の周波数帯の送受信器信号を送信するようになされ、
　第２の信号経路（ＳＰ２）が、異なる送信システムに割り当てられた少なくとも２つの第２の周波数帯の送受信器信号を送信するようになされ、
　第３の信号経路（ＳＰ３）が、第３の周波数帯の受信信号を送信するようになされ、
　第３の信号経路（ＳＰ３）のパスバンドが、第１および第２の信号経路（ＳＰ１、ＳＰ２）のパスバンドの間にあり、
　トリプレクサ（ＦＷ）が、第１の信号経路（ＳＰ１）に接続されたローパスフィルタ（Ｆ１０）および第２の信号経路（ＳＰ２）に接続されたハイパスフィルタ（Ｆ２０）を含み、
　トリプレクサ（ＦＷ）が、第３の信号経路（ＳＰ３）に接続されたバンドパスフィルタ（Ｆ３０）を含み、
　ハイパスフィルタ（Ｆ２０）およびローパスフィルタ（Ｆ１０）が、電気的に相互接続されたキャパシタおよびインダクタを用いてそれぞれ実装され、
　バンドパスフィルタ（Ｆ３０）が、ＳＡＷフィルタまたはＢＡＷフィルタを用いて実装され、
　支持基板（ＴＳ）および該基板上に配置された少なくとも１つのチップ（ＣＨ１、ＣＨ２、ＣＨ３、ＣＨ４、ＣＨ５、ＣＨ６）を備え、
　トリプレクサ（ＦＷ）が、部分的に支持基板に実装され、部分的に該チップの少なくとも１つに実装され、
　第１の信号経路（ＳＰ１）を少なくとも４つの第１の部分経路（ＲＸ１、ＲＸ２、ＴＸ１２、ＴＲ３）に交互に接続する第１のスイッチ（Ｓ１）を備え、
　第２の信号経路（ＳＰ２）を少なくとも４つの第２の部分経路（ＲＸ５、ＲＸ６、ＴＸ５６、ＴＲ７、ＴＲ８）に交互に接続する第２のスイッチ（Ｓ２）を備える、フロントエンドモジュール。」
　
　
３．引用例
　
　原査定の拒絶の理由に引用された、本願の出願日前である平成１６年５月１３日に公表された特開２００４−１４０６９６号公報（以下「引用例１」という。下線は当審が付与。）には、次の事項が記載されている。
　
「【００２５】
（実施例３）
本発明の第１のスイッチ回路を用いたアンテナスイッチモジュールの別の実施例について、以下詳細に説明する。
第１の送受信系がＧＳＭ８５０（送信周波数８２４〜８４９　ＭＨｚ、受信周波数８６９〜８９４ＭＨｚ）で、第２の送受信系がＧＳＭ９００　（送信周波数８８０〜９１５　ＭＨｚ、受信周波数９２５〜９６０　ＭＨｚ）で、第３の送受信系がＧＳＭ１８００（送信周波数　１７１０〜１７８５　ＭＨｚ、受信周波数　１８０５〜１８８０　ＭＨｚ）で、第４の送受信系がＧＳＭ１９００（送信周波数　１８５０〜１９１０　ＭＨｚ、受信周波数　１９３０〜１９９０　ＭＨｚ）の場合を例にとって以下に説明する。
本実施例のスイッチ回路を用いたアンテナスイッチモジュールのブロック図を図１０に示す。
各送受信系の入出力電力が入放射されるアンテナと第１の送受信系ならびに第２の送受信系と第３の送受信系ならびに第４の送受信系とを分波させる分波回路ダイプレクサＤＩＰ３１を接続し、分波回路ＤＩＰ３１のスイッチ回路側の入出力端子ＤＰ１と送受信を切り替えるスイッチ回路ＳＷ３１の入出力端子ＩＰ３１を接続し、ならびに入出力端子ＤＰ２と送受信を切り替えるスイッチ回路ＳＷ３２の入出力端子ＩＰ３２を接続する。スイッチ回路ＳＷ３１は、ＧＳＭ８５０／９００の受信信号が入力されるとともに、ＧＳＭ８５０／９００の送信回路からの送信信号が出力される入出力端子ＩＰ３１と、ＧＳＭ８５０／９００の送信回路からの送信信号を入力する入力端子ＴＸ３１、ＧＳＭ８５０の受信信号を受信回路へ出力する出力端子ＲＸ３１、ＧＳＭ９００の受信信号を受信回路へ出力する出力端子ＲＸ３２を有する。同様にスイッチ回路ＳＷ３２はＧＳＭ１８００／１９００の受信信号が入力されるとともに、ＧＳＭ１８００／１９００の送信回路からの送信信号が出力される入出力端子ＩＰ３２と、ＧＳＭ１８００／１９００の送信回路からの送信信号を入力する入力端子ＴＸ３２、ＧＳＭ１８００の受信信号を受信回路へ出力する出力端子ＲＸ３３、ＧＳＭ１９００の受信信号を受信回路へ出力する出力端子ＲＸ３４を有する。
　
「【００４３】
（その他の実施例）
以上の実施例ではＧＳＭ８５０、ＧＳＭ９００、ＧＳＭ１８００。ＧＳＭ１９００に対応したスイッチ回路ならびにアンテナスイッチモジュールについて言及したが、
これ以外にも
ＧＰＳ帯域（１５７５．４２　ＭＨｚ）、
において、
同様の効果が期待できる。またこれはトリプルバンド、クアッドバンド以上の５バンド、６バンド以上のマルチモードマルチバンドのアンテナスイッチモジュールでも有効である。
　
　上記によれば、引用例１には、
　
「第１の送受信系がＧＳＭ８５０で、第２の送受信系がＧＳＭ９００で、第３の送受信系がＧＳＭ１８００で、第４の送受信系がＧＳＭ１９００の場合
　各送受信系の入出力電力が入放射されるアンテナと第１の送受信系ならびに第２の送受信系と第３の送受信系ならびに第４の送受信系とを分波させる分波回路ダイプレクサＤＩＰ３１を接続し、分波回路ＤＩＰ３１のスイッチ回路側の入出力端子ＤＰ１と送受信を切り替えるスイッチ回路ＳＷ３１の入出力端子ＩＰ３１を接続し、ならびに入出力端子ＤＰ２と送受信を切り替えるスイッチ回路ＳＷ３２の入出力端子ＩＰ３２を接続し、
　スイッチ回路ＳＷ３１は、ＧＳＭ８５０／９００の受信信号が入力されるとともに、ＧＳＭ８５０／９００の送信回路からの送信信号が出力される入出力端子ＩＰ３１と、ＧＳＭ８５０／９００の送信回路からの送信信号を入力する入力端子ＴＸ３１、ＧＳＭ８５０の受信信号を受信回路へ出力する出力端子ＲＸ３１、ＧＳＭ９００の受信信号を受信回路へ出力する出力端子ＲＸ３２を有し、
　スイッチ回路ＳＷ３２はＧＳＭ１８００／１９００の受信信号が入力されるとともに、ＧＳＭ１８００／１９００の送信回路からの送信信号が出力される入出力端子ＩＰ３２と、ＧＳＭ１８００／１９００の送信回路からの送信信号を入力する入力端子ＴＸ３２、ＧＳＭ１８００の受信信号を受信回路へ出力する出力端子ＲＸ３３、ＧＳＭ１９００の受信信号を受信回路へ出力する出力端子ＲＸ３４を有し、
　１５７５．７２ＭＨｚのＧＰＳ帯域に対応し、トリプルバンド、クアッドバンド以上の５バンド、６バンド以上のマルチモードマルチバンドのアンテナスイッチモジュールとすることも可能である
　アンテナスイッチモジュール」
　
が記載されている。（以下「引用発明」という）
　
　
４．本願発明と引用発明の対比
　
　引用発明の「アンテナスイッチモジュール」は、本願発明の「フロントエンドモジュール」に、
　引用発明の「第１の送信系」と「第２の送信系」は、本願発明の「２つの第１の周波数帯」に、
　引用発明の「第３の送信系」と「第４の送信系」は、本願発明の「２つの第２の周波数帯」に、
　それぞれ相当する。
　
　引用発明の「ダイプレクサ」と、本願発明の「トリプレクサ」は、共に「分波回路」である。
　
　引用発明の「スイッチ回路ＳＷ３１」は、分波回路からの第１の信号経路を複数の部分経路に交互に接続するスイッチであるから、引用発明の「スイッチ回路ＳＷ３１」と、本願発明の「第１の信号経路（ＳＰ１）を少なくとも４つの第１の部分経路（ＲＸ１、ＲＸ２、ＴＸ１２、ＴＲ３）に交互に接続する第１のスイッチ（Ｓ１）」は、共に「第１の信号経路を第１の部分経路に交互に接続するスイッチ」である。
　引用発明の「スイッチ回路ＳＷ３２」は、分波回路からの第２の信号経路を複数の部分経路に交互に接続するスイッチであるから、引用発明の「スイッチ回路ＳＷ３２」と、本願発明の「第２の信号経路（ＳＰ２）を少なくとも４つの第２の部分経路（ＲＸ５、ＲＸ６、ＴＸ５６、ＴＲ７、ＴＲ８）に交互に接続する第２のスイッチ（Ｓ２）」は、共に「第２の信号経路を第２の部分経路に交互に接続するスイッチ」である。
　
　したがって、本願発明と引用発明は、
　
「フロントエンドモジュールであって、
　アンテナ経路を備え、
　アンテナ経路、ならびに複数の信号経路に接続された分波回路を備え、
　第１の信号経路が、異なる送信システムに割り当てられた少なくとも２つの第１の周波数帯の送受信器信号を送信するようになされ、
　第２の信号経路が、異なる送信システムに割り当てられた少なくとも２つの第２の周波数帯の送受信器信号を送信するようになされ、
　分波回路が、第１の信号経路に接続されたローパスフィルタおよび第２の信号経路に接続されたハイパスフィルタを含み、
　第１の信号経路を第１の部分経路に交互に接続するスイッチを備え、
　第２の信号経路を第２の部分経路に交互に接続するスイッチを備える、フロントエンドモジュール。」
　
　で一致し、下記の点で相違する。
　
　相違点１
　
　複数の信号経路に接続された分波回路として、引用発明は、ＧＳＭ８５０とＧＳＭ９００を含む第１の信号経路と、ＧＳＭ１８００とＧＳＭ１９００を含む第２の信号経路に分波するダイプレクサであって、ＧＰＳに対応したマルチバンドモジュールとすることは可能であることは記載されているが、ＧＰＳに対応した場合の具体的な構成については記載されていないのに対し、本願発明は、第１、第２および第３の信号経路に分波するトリプレクサであり、第３の信号経路のパスバンドが第１及び第２の信号経路のパスバンドの間にあり、第１／第２の信号経路の分波は電気的に相互接続されたキャパシタおよびインダクタを用いたローパスフィルタおよびハイパスフィルタを用い、第３の信号経路の分波はＳＡＷフィルタまたはＢＡＷフィルタを用いている点。
　
　相違点２
　
　モジュールの構造として、引用発明は、どのような構造か記載されていないが、本願発明は、「支持基板（ＴＳ）および該基板上に配置された少なくとも１つのチップ（ＣＨ１、ＣＨ２、ＣＨ３、ＣＨ４、ＣＨ５、ＣＨ６）を備え、トリプレクサ（ＦＷ）が、部分的に支持基板に実装され、部分的に該チップの少なくとも１つに実装され」ている点。
　
　相違点３
　
　第１／第２の信号経路を第１／第２の部分経路に交互に接続するスイッチとして、引用発明は３つの分岐回路に接続するスイッチであるのに対し、本願発明は、少なくとも４つの分岐回路に接続するスイッチである点。
　
　
５．当審の判断
　
　上記相違点について検討する。
　
　相違点１について
　
　特開２００６−８６８７１号公報（以下「周知例１」という。下線は当審が付与。）には、
　
「【背景技術】
【０００２】
　近年、携帯電話機の普及が進みつつあり、携帯電話機の機能、サービスの向上が図られている。
　新たな携帯電話機として、マルチバンド携帯電話機の提案がなされている。マルチバンド携帯電話機は、通常の携帯電話機が一つの送受信系のみを取り扱うのに対し、複数の送受信系を取り扱うものである。これにより、利用者は地域や使用目的等に合った任意の送受信系を選択して利用することができる。
【０００３】
　さらに、位置検出のための
ＧＰＳ
などの新たな周波数帯（１５００ＭＨｚ帯）での受信系を、携帯電話機に付加することも行われている。
　ここで図９を参照して、３つの送受信系Cellular（８００ＭＨｚ帯）／ＧＰＳ／ＰＣＳ(Personal Communication Services;１９００ＭＨｚ帯)を切り替えることのできるCellular／ＧＰＳ／ＰＣＳ方式の高周波回路の構成を簡単に説明する。」
　
「【００１９】
　
本複合型分波回路は、アンテナに接続されるＡＮＴ端子と、第１の周波数帯の送受信高周波信号を入出力する第一端子１、第２の周波数帯の受信高周波信号を入力する第二端子２、第３の周波数帯の送受信高周波信号を入出力する第三端子３を有している。
　
このＡＮＴ端子と第一端子１間には、ローパスフィルタ回路（以下「ＬＰＦ」という）５が接続されている。
【００２０】
　さらに第一端子１には、Cellularの送受信系においてそれぞれ送信系Ｔｘと受信系Ｒｘとの切替を行うＳＡＷデュープレクサ１６を接続し、第三端子３には、ＰＣＳの送受信系においてそれぞれ送信系Ｔｘと受信系Ｒｘとの切替を行うＳＡＷデュープレクサ１８を接続している。
　
ＬＰＦ５は、図２に示すように、多層基板内の各層にストリップライン５Ｌとキャパシタ５Ｃとを形成したＬＣフィルタである。
【００２１】
　
また、ＡＮＴ端子と第二端子２間には、インダクタ６Ｌ及びキャパシタ６Ｃ１、６Ｃ２、６Ｃ３から構成される位相調整用回路６と、ＳＡＷフィルタ７から構成されている。
　
「【００２９】
　
また、ＡＮＴ端子Ｐと第三端子３間には、ハイパスフィルタ（以下「ＨＰＦ」という）８が構成されている。このＨＰＦ８も多層基板内に形成されるストリップラインとキャパシタによって構成できる。
　このＨＰＦ８により、Cellular通信システム及びＧＰＳ通信システムの周波数帯を減衰させる設計となっている。また、当該ＰＣＳ通信システムの周波数帯における２倍波、３倍波などの高調波が含まれるが、これらの高調波も減衰させることが可能となる。」
　
「【００３８】
　以上で、本発明の実施の形態を説明したが、本発明の実施は、前記の形態に限定されるものではない。例えば、各送受信系の通信方式として、Cellular、ＰＣＳ、ＧＰＳを挙げたが、これらは、通信方式・周波数帯の一例であって、本発明は、ＧＳＭ，ＧＰＳ，ＤＣＳ(Digital Cellular System)，Cellular，ＰＣＳ，Ｗ−ＣＤＭＡなどいかなる周波数帯であっても適用可能なものである。」
　
　また、図９には、第１端子がCellularであり、第２端子がGPSであり、第３端子がPCSであることが記載されている。
　
の記載があるから、周知例１によれば、
　
「ＧＰＳでの受信系を、携帯電話機に付加することが行われていることを背景として、キャパシタとインダクタを用いたローパスフィルタによる８００ＭＨｚ帯の受信系、キャパシタとインダクタを用いたハイパスフィルタを用いて１９００ＭＨｚ帯の受信系、ＳＡＷフィルタを用いた１５００ＭＨｚ帯のＧＰＳ受信系、の３つに分波する分波回路」
　
　は周知である。（以下「周知技術１」という）
　
　引用発明において、ＧＳＭ８５０とＧＳＭ９００を含む第１の信号経路のパスバンドとＧＳＭ１８００とＧＳＭ１９００を含む第２の信号経路のパスバンドの間のパスバンドであるＧＰＳ帯域に対応したマルチモードマルチバンドのアンテナスイッチモジュールとするにあたり、周知技術１のように各々の通信方式を分離するにあたってキャパシタとインダクタを用いたフィルタにより各々の通信方式（第１／第２の信号経路）を分離し、ＧＰＳ（第３の信号経路）をＳＡＷフィルタにより分離するトリプレクサを用いることは容易であり、ＧＰＳは１５００ＭＨｚ帯であるから、第３の信号経路のパスバンドが第１の信号経路のパスバンドと第２の信号経路のパスバンドの間であることは明らかである。
　
　相違点２について
　
　引用例１には、
　
「【００４０】
（実施例７）
本発明におけるスイッチ回路および分波回路ならびに帯域通過フィルタなどの回路を構成するインダクタや容量の一部は誘電体積層体基板に内蔵可能であり、一方でスイッチ回路、分波回路、帯域通過フィルタなどを構成するインダクタ、コンデンサ、抵抗、ならびにＰＩＮダイオード素子や電界効果型トランジスタなどのチップ素子の一部を前記誘電体積層基板上に搭載することにより、集積化したアンテナスイッチ積層モジュールを得ることができる。
　
　の記載がある。
　
　また、周知例１には、
　
「【００３２】
　以上の回路構成による本発明の複合型分波チップ部品３０の外観斜視図を図７に示す。
　この図７に示す様に複合型分波チップ部品３０は、誘電体多層基板３１とその基板上に実装されるＳＡＷフィルタ７と、基板内部のＬＰＦ５、位相調整用回路６、ＨＰＦ８とから構成される。
ＬＰＦ５、位相調整用回路６、ＨＰＦ８は、ＬＣチップ部品３３や、複数の誘電体層を重ねて構成した誘電体多層基板３１内に形成されたストリップライン、インダクタ及びキャパシタによって構成される。
　
「【００３６】
　
多層回路基板３５上には、複合型分波回路を形成するＳＡＷフィルタ７及びＬＣチップ部品３３、並びにＳＡＷデュープレクサ１６，１８、パワーアンプ４２、ＳＡＷバンドパスフィルタ４３などの受動及び能動素子が実装されている。
　
　の記載がある。
　
　引用例１および周知例１によれば、「多層回路基板上に、分波回路を形成するチップ素子の一部を誘電体積層基板上に搭載」して、「分波回路が、部分的に支持基板に実装され、部分的に該チップの少なくとも１つに実装され」るように構成することは周知である。（以下「周知技術２」という）
　
　引用発明においても周知技術２のように、「支持基板および該基板上に配置された少なくとも１つのチップを備え」るとともに、「分波器が、部分的に支持基板に実装され、部分的に該チップの少なくとも１つに実装され」るようにすることは容易と認められる。
　
　
　相違点３について
　
　分波出力をいくつの部分経路に接続するかは、必要な経路数に応じて決定する設計事項に過ぎないから、引用発明において３つの部分経路に接続する代わりに少なくとも４つの部分経路に接続するように変更することは容易である。
　
　
６．むすび
　
　以上のとおり、本願発明は、引用発明と周知技術に基づいて、当業者が容易に発明をすることができたものであるから、特許法第２９条第２項の規定により特許を受けることができない。
　よって、結論のとおり審決する。